(57)【要約】【課題】圧板ロック機構を前提として、圧板上の取り忘れた原稿を保護することができる画像形成装置を提供する。【解決手段】圧板開閉センサ１５、原稿検知センサ１６はＣＰＵ１２へ信号を出力し、圧板施錠開錠ソレノイド１７はＣＰＵ１２から制御され、圧板３の鍵５の施錠、開錠を行う。圧板３が施錠されると、原稿１９は、原稿台４と圧板クッション１８の間に挟まれ、取り出すことができなくなり、鍵５が開くまで保護することができる。コピー動作終了時、圧板開閉センサ１５により、圧板３が閉状態であることが検知され、かつ、原稿検知センサ１６により、原稿台４上に原稿１９が存在することが検知された場合、原稿１９が忘れられたと判断し、圧板施錠開錠ソレノイド１７を動作させて、圧板３を施錠する。【選択図】図３
2007286444.tif 000002
【特許請求の範囲】
【請求項１】
圧板施錠開錠手段と、該圧板施錠開錠手段を制御する制御手段とを備え、原稿台上の原稿を圧板で押えてコピーする圧板コピー動作終了後、前記圧板施錠開錠手段により圧板を施錠することを特徴とする画像形成装置。
【請求項２】
請求項１に記載の画像形成装置において、前記制御手段は、圧板コピー動作終了後所定期間経過したときに、前記圧板施錠開錠手段により圧板を施錠することを特徴とする画像形成装置。
【請求項３】
請求項１に記載の画像形成装置において、前記制御手段は、圧板コピーを行った場合、接続された料金投入機からおつりが返却されたときに、前記圧板施錠開錠手段により圧板を施錠することを特徴とする画像形成装置。
【請求項４】
請求項１に記載の画像形成装置において、前記制御手段は、圧板コピーを行った場合、人体検知センサの検知信号を元に、使用者が遠ざかったと判断したときに、前記圧板施錠開錠手段により圧板を施錠することを特徴とする画像形成装置。
【請求項５】
請求項１に記載の画像形成装置において、前記制御手段は、圧板コピーを行った場合、排紙トレイセンサの検知信号を元に、排紙トレイの紙が取り除かれたと判断したときに、前記圧板施錠開錠手段により圧板を施錠することを特徴とする画像形成装置。
【請求項６】
請求項１に記載の画像形成装置において、前記制御手段は、圧板コピーを行った場合、次に画像形成に関する操作が行われたことを検知したときに、前記圧板施錠開錠手段により圧板を施錠することを特徴とする画像形成装置。
【請求項７】
請求項１に記載の画像形成装置において、カード読み取り装置を備え、前記制御手段は、カード認証結果に基づいて圧板施錠開錠手段により圧板を開錠することを特徴とする画像形成装置。
【請求項８】
請求項１に記載の画像形成装置において、前記制御手段は、コピー画像データの照合の結果に基づいて、前記圧板施錠開錠手段により圧板を開錠することを特徴とする画像形成装置。
【請求項９】
請求項１に記載の画像形成装置において、前記制御手段は、コピー動作前に入力されたワンタイムパスワードに基づいて、前記圧板施錠開錠手段により圧板を開錠することを特徴とする画像形成装置。
【請求項１０】
請求項１に記載の画像形成装置において、生体識別情報読み取り器を備え、前記制御手段は、コピー動作前に前記生体識別情報読み取り器から取得した生体識別情報に基づき、前記圧板施錠開錠手段により圧板を開錠することを特徴とする画像形成装置。
【発明の詳細な説明】
【技術分野】
【０００１】
本発明は、複写機、プリンタ、ファクシミリ、あるいは、これらの機能を併用した多機能複写機等の画像形成装置に関し、特に使用者の利便性向上技術に特徴のある画像形成装置に関するものである。
【背景技術】
【０００２】
画像形成装置は、コピー時に原稿台（コンタクトガラス）上に載置された原稿を押えるための圧板を有する。使用者は、画像形成装置の原稿台に原稿を置き、圧板で押えてコピーをする。コピー完了後、圧板を持ち上げ原稿を取る作業をするが、圧板の下に原稿があるため、使用者が取り忘れるときがある。
特許文献１には、圧板またはＡＤＦにロック機構を設け、原稿読み取り中に圧板またはＡＤＦが開くのを防ぎ、読み取り不具合をなくすようにした画像形成装置が開示されている。
【特許文献１】特開２００２−３６５７４２公報
【発明の開示】
【発明が解決しようとする課題】
【０００３】
コンビニエンスストアや図書館等に設置されているような不特定多数が使用する画像形成装置において、原稿を忘れると個人情報が漏れてしまう危険がある。最近は、個人情報の管理が厳格となり、機密保護の要求が高まっている。
本発明は、圧板ロック機構を前提として、圧板上の取り忘れた原稿を保護することができる画像形成装置を提供することを目的とする。
【課題を解決するための手段】
【０００４】
上記目的を達成するために、請求項１記載の発明は、圧板施錠開錠手段と、圧板施錠開錠手段を制御する制御手段を備え、原稿台上の原稿を圧板で押えてコピーする圧板コピー動作終了後、圧板施錠開錠手段により圧板を施錠する画像形成装置を特徴とする。
請求項２記載の発明は、請求項１に記載の画像形成装置において、制御手段は、圧板コピー動作終了後所定期間経過したときに、圧板施錠開錠手段により圧板を施錠することを特徴とする。
請求項３記載の発明は、請求項１に記載の画像形成装置において、制御手段は、圧板コピーを行った場合、接続された料金投入機からおつりが返却されたときに、圧板施錠開錠手段により圧板を施錠することを特徴とする。
【０００５】
請求項４記載の発明は、請求項１に記載の画像形成装置において、制御手段は、圧板コピーを行った場合、人体検知センサの検知信号を元に、使用者が遠ざかったと判断したときに、圧板施錠開錠手段により圧板を施錠することを特徴とする。
請求項５記載の発明は、請求項１に記載の画像形成装置において、制御手段は、圧板コピーを行った場合、排紙トレイセンサの検知信号を元に、排紙トレイの紙が取り除かれたと判断したときに、圧板施錠開錠手段により圧板を施錠することを特徴とする。
請求項６記載の発明は、請求項１に記載の画像形成装置において、制御手段は、圧板コピーを行った場合、次に画像形成に関する操作が行われたことを検知したときに、圧板施錠開錠手段により圧板を施錠することを特徴とする。
【０００６】
請求項７記載の発明は、請求項１に記載の画像形成装置において、カード読み取り装置を備え、制御手段は、カード認証結果に基づいて圧板施錠開錠手段により圧板を開錠することを特徴とする。
請求項８記載の発明は、請求項１に記載の画像形成装置において、制御手段は、コピー画像データの照合の結果に基づいて、圧板施錠開錠手段により圧板を開錠することを特徴とする。
請求項９記載の発明は、請求項１に記載の画像形成装置において、制御手段は、コピー動作前に入力されたワンタイムパスワードに基づいて、圧板施錠開錠手段により圧板を開錠することを特徴とする。
請求項１０記載の発明は、請求項１に記載の画像形成装置において、生体識別情報読み取り器を備え、制御手段は、コピー動作前に生体識別情報読み取り器から取得した生体識別情報に基づき、圧板施錠開錠手段により圧板を開錠することを特徴とする。
【発明の効果】
【０００７】
本発明の画像形成装置は、圧板施錠開錠手段と、圧板施錠開錠手段を制御する制御手段を備え、原稿台上の原稿を圧板で押えてコピーする圧板コピー動作終了後、圧板施錠開錠手段により圧板を施錠するので、圧板上の取り忘れた原稿を保護することができる。
【発明を実施するための最良の形態】
【０００８】
以下、本発明の実施の形態を図面に従って説明する。
図１は本発明の実施の形態に係る画像形成装置の外観図である。画像形成装置１と料金投入機７とが接続されている。画像形成装置１は上部に操作部２、圧板３、原稿台４を有する。また圧板３を画像形成装置に施錠するための鍵５を有する。画像形成装置１はさらに排紙トレイ６を有する。
図２は本発明の実施の形態に係る画像形成装置のブロック図である。この画像形成装置１は、原稿が圧板３に挟まれた状態を検知して、圧板３を施錠する手段を備えている。
この図２に示すように、画像形成装置１は、電源コード８、電源９、操作部２、画像形成に必要な各ユニット１０、画像形成装置１を制御するための制御基板１１を備えている。制御基板１１は、ＣＰＵ（中央演算装置）１２、ＲＡＭ（ランダムアクセスメモリ）１３、ＲＯＭ（リードオンリーメモリ）１４を備えている。
また、画像形成装置１は、圧板３の開閉状態を検知する圧板開閉センサ１５、原稿の状態を検知する原稿検知センサ１６、圧板に鍵５を開閉するための圧板施錠開錠ソレノイド１７を備えている。また料金を徴収するに必要となる料金投入機７は画像形成装置１と接続される。なお図２において、太線は電源からの電力を供給する線、細線は信号を送受信する線を示している。
【０００９】
図３は本発明の実施の形態に係る画像形成装置における圧板施錠開錠手段の構成図である。圧板開閉センサ１５、原稿検知センサ１６はＣＰＵ１２へ信号を出力し、圧板施錠開錠ソレノイド１７はＣＰＵ１２から制御され、圧板３の鍵５の施錠、開錠を行う。圧板３が施錠されると、原稿１９は、原稿台４と圧板クッション１８の間に挟まれ、取り出すことができなくなり、鍵５が開くまで保護することができる。
コピー動作終了時、圧板開閉センサ１５により、圧板３が閉状態であることが検知され、かつ、原稿検知センサ１６により、原稿台４上に原稿１９が存在することが検知された場合、原稿１９が忘れられたと判断し、圧板施錠開錠ソレノイド１７を動作させて、圧板３を施錠する。
図４は本発明の実施の形態に係る画像形成装置における操作部の平面図である。操作部２は、操作部表示画面２０、カード読み取り装置２１、生体識別情報読み取り器２２、人体検知センサ２３、テンキー２４を有する。
図５は本発明の実施の形態に係る画像形成装置における排紙トレイ部の外観図である。排紙トレイ６の紙の有無を検知する排紙トレイセンサ２５を有する。
【００１０】
図６は本発明の実施の形態に係る画像形成装置における第１の制御例を示すフローチャートである。
ＣＰＵ１２はタイマ機能を備えており、コピー動作終了後（Ｓ１）、圧板開閉センサ１５により、圧板３が閉状態であることが検知され（Ｓ２、Ｓ３）、原稿検知センサ１６により、原稿台４上に原稿１９が存在することが検知されてから（Ｓ４、Ｓ５）、タイマをスタートさせ（Ｓ６）、所定時間以上になった時（Ｓ７、Ｓ８）、圧板施錠開錠ソレノイド１７を動作させて圧板３を施錠する（Ｓ９）。
第１の制御例では、圧板コピー動作の所定時間が経過したときに、自動的に施錠する手段を有するので、原稿を保護することができる。
【００１１】
図７は本発明の実施の形態に係る画像形成装置における第２の制御例を示すフローチャートである。
コピー動作終了後（Ｓ１）、圧板開閉センサ１５により、圧板３が閉状態であることが検知され（Ｓ２、Ｓ３）、原稿検知センサ１６により、原稿台４上に原稿１９が存在することが検知された後に（Ｓ４、Ｓ５）、料金投入機７からおつりを返却した時（Ｓ６）、圧板施錠開錠ソレノイド１７を動作させて圧板３を施錠する（Ｓ７）。
第２の制御例では、圧板コピー動作後、画像形成装置に接続された料金投入機７からおつりが返却されたときに圧板３を自動的に施錠するので、使用者が原稿１９を忘れて画像形成装置１から離れたと思われる時点で、圧板１が施錠され原稿を保護することができる。
【００１２】
図８は本発明の実施の形態に係る画像形成装置における第３の制御例を示すフローチャートである。
コピー動作終了後（Ｓ１）、圧板開閉センサ１５により、圧板が閉状態であることが検知され（Ｓ２、Ｓ３）、原稿検知センサ１６により、原稿台４上に原稿１９が存在することが検知された後に（Ｓ４、Ｓ５）、操作部２上にある人体検知センサ２３により画像形成装置付近に人がいないと判断され（Ｓ６、Ｓ７）、所定時間以上になった時に（Ｓ８、Ｓ９）、圧板施錠開錠ソレノイド１７を動作させて圧板３を施錠する（Ｓ１０）。
第３の制御例では、圧板コピー動作後、画像形成装置の人体検知センサ２３により、使用者が遠ざかったと判断したときに圧板３を自動的に施錠するので、使用者が原稿１９を忘れて画像形成装置１から離れたと思われる時点で圧板３が施錠され、原稿を保護することができる。
【００１３】
図９は本発明の実施の形態に係る画像形成装置における第４の制御例を示すフローチャートである。
コピー動作終了後（Ｓ１）、圧板開閉センサ１５により、圧板が閉状態であることが検知され（Ｓ２、Ｓ３）、原稿検知センサ１６により、原稿台４上に原稿１９が存在することが検知された後に（Ｓ４、Ｓ５）、排紙トレイセンサ２５により、排紙トレイ６上の紙が無くなったと判断された時に（Ｓ６、Ｓ７）、圧板施錠開錠ソレノイド１７を動作させて圧板３を施錠する（Ｓ８）。
第４の制御例では、圧板コピー動作後、排紙トレイセンサ２５２により、排紙トレイ６の紙が取り除かれたと判断したときに圧板３を自動的に施錠するので、使用者が原稿１９を忘れて画像形成装置１から離れたと思われた時点で圧板３が施錠され、原稿を保護することができる。
【００１４】
図１０は本発明の実施の形態に係る画像形成装置における第５の制御例を示すフローチャートである。
コピー動作終了後（Ｓ１）、圧板開閉センサ１５により、圧板が閉状態であることが検知され（Ｓ２、Ｓ３）、原稿検知センサ１６により、原稿台４上に原稿１９が存在することが検知された後に（Ｓ４、Ｓ５）、画像形成に関わる操作の信号がＣＰＵ１２に入力された時に（Ｓ６、Ｓ７）、圧板施錠開錠ソレノイド１７を動作させて圧板３を施錠する（Ｓ８）。
第５の制御例では、圧板コピー動作後、次に画像形成に関する操作が行われた時に圧板３を自動的に施錠するので、他の使用者が画像形成装置１を使用した時に原稿１９を保護することができ、他の使用者から原稿１９を保護することができる。
【００１５】
図１１は本発明の実施の形態に係る画像形成装置における第６の制御例を示すフローチャートである。
コピー動作前に使用者の識別情報が含まれたカードを、画像形成装置操作部２上のカード読み取り装置２１にて読み取らせ（Ｓ１）、識別情報をＲＡＭ１３に保存する（Ｓ２）。その後にコピー動作を行い（Ｓ３）、コピー動作終了後、ＣＰＵ１２は圧板施錠開錠ソレノイド１７を動作させ、圧板３を施錠する（Ｓ４）。
使用者が開錠するには、識別情報が含まれたカードをカード読み取り装置２１に読み込ませ（Ｓ５）、読み取った識別情報とＲＡＭ１３上に保存された識別情報を比較し（Ｓ６）、一致すれば圧板施錠開錠ソレノイド１７を動作させて圧板３を開錠させる（Ｓ７）。
第６の制御例では、施錠された圧板３をカード認証にて自動的に解錠することができるので、正当な使用者が使用者自身で解錠し、原稿を回収することができる。
【００１６】
図１２は本発明の実施の形態に係る画像形成装置における第７の制御例を示すフローチャートである。
コピー動作中（Ｓ１）に読み取ったコピー画像をＲＡＭ１３に保存する（Ｓ２）。コピー動作終了後（Ｓ３）、圧板施錠開錠ソレノイド１７を動作させ、圧板３を施錠する（Ｓ４）。
開錠する場合は、画像形成装置１に保管されている、対象となるコピー画像を操作部表示画面２０等の何らかの表示装置に表示し（Ｓ５）、使用者のコピーした画像や他の原稿と比較する（Ｓ６）。一致すれば、使用者が操作部２から開錠指示を行い、圧板３を開錠する（Ｓ７）。
第７の制御例では、コピー画像データをＲＡＭ１３内に保存し、何らかの表示画面にて照合の結果、施錠された圧板３を解錠することができるので、開錠する手間を省くことができる。
【００１７】
図１３は本発明の実施の形態に係る画像形成装置における第８の制御例を示すフローチャートである。
コピー動作前に使用者は、画像形成装置１の操作部２のテンキー２４からパスワード入力する（Ｓ１）。パスワードは画像形成装置１内のＲＡＭ１３に保存される（Ｓ２）。その後にコピー動作を行い（Ｓ３）、コピー動作終了後（Ｓ４）、圧板施錠開錠ソレノイド１７を動作させ、圧板３を施錠する（Ｓ５）。
使用者が開錠するには、コピー動作前に入力したパスワードを操作部２のテンキー２４から入力し（Ｓ６）、ＲＡＭ１３に保存されたパスワードと比較し（Ｓ７）、一致すれば圧板施錠開錠ソレノイド１７を動作させて圧板３を開錠する（Ｓ８）。
第８の制御例では、コピー動作前にワンタイムパスワードを入力し、そのパスワードの照合の結果にて施錠された圧板３を解錠することができるので、コピー動作前の短時間の登録で、使用者自身が解錠することができる。
【００１８】
図１４は本発明の実施の形態に係る画像形成装置における第９の制御例を示すフローチャートである。
コピー動作前に使用者は画像形成装置１の操作部２上にある指紋等の生体識別情報読み取り器２２に、生体識別情報を読み込ませ（Ｓ１）、その識別情報をＲＡＭ１３に保存する（Ｓ２）。その後にコピー動作を行い（Ｓ３）、コピー動作終了後（Ｓ４）、圧板施錠開錠ソレノイド１７を動作させ、圧板３を施錠する（Ｓ５）。
使用者が開錠するには、生体識別情報読み取り器２２に生体識別情報を読み取らせ、読み取った識別情報とＲＡＭ１３上に保存された識別情報を比較し（Ｓ７）、一致すれば圧板施錠開錠ソレノイド１７を動作させて圧板３を開錠する（Ｓ８）。
第９の制御例では、コピー動作前に何らかの生体識別情報を取得し、その生体識別情報にて施錠された圧板３を解錠することができるので、コピー動作前に短時間の登録で、使用者自身が解錠することができる。
【図面の簡単な説明】
【００１９】
【図１】本発明の実施の形態に係る画像形成装置の外観図。
【図２】本発明の実施の形態に係る画像形成装置のブロック図。
【図３】本発明の実施の形態に係る画像形成装置における圧板施錠開錠手段の構成図。
【図４】本発明の実施の形態に係る画像形成装置における操作部の平面図。
【図５】本発明の実施の形態に係る画像形成装置における排紙トレイ部の外観図。
【図６】本発明の実施の形態に係る画像形成装置における第１の制御例を示すフローチャート。
【図７】本発明の実施の形態に係る画像形成装置における第２の制御例を示すフローチャート。
【図８】本発明の実施の形態に係る画像形成装置における第３の制御例を示すフローチャート。
【図９】本発明の実施の形態に係る画像形成装置における第４の制御例を示すフローチャート。
【図１０】本発明の実施の形態に係る画像形成装置における第５の制御例を示すフローチャート。
【図１１】本発明の実施の形態に係る画像形成装置における第６の制御例を示すフローチャート。
【図１２】本発明の実施の形態に係る画像形成装置における第７の制御例を示すフローチャート。
【図１３】本発明の実施の形態に係る画像形成装置における第８の制御例を示すフローチャート。
【図１４】本発明の実施の形態に係る画像形成装置における第９の制御例を示すフローチャート。
【符号の説明】
【００２０】
２  操作部、３  圧板、４  原稿台、５  鍵（圧板施錠開錠手段構成要素）、１２  ＣＰＵ（制御手段）、１５  圧板開閉センサ、１６  原稿検知センサ、１７  圧板施錠開錠ソレノイド（圧板施錠開錠手段構成要素）、２１  カード読み取り装置、２２  生体識別情報読み取り器、２３  人体検知センサ
【図１】
2007286444.tif 000003
【図２】
2007286444.tif 000004
【図３】
2007286444.tif 000005
【図４】
2007286444.tif 000006
【図５】
2007286444.tif 000007
【図６】
2007286444.tif 000008
【図７】
2007286444.tif 000009
【図８】
2007286444.tif 000010
【図９】
2007286444.tif 000011
【図１０】
2007286444.tif 000012
【図１１】
2007286444.tif 000013
【図１２】
2007286444.tif 000014
【図１３】
2007286444.tif 000015
【図１４】
2007286444.tif 000016